(57)【要約】【課題】表紙を組換えることにより綴込み量を加増でき、組換え後は背表紙部が補強されて保形機能を高められる簡単な構成のファイルを提供する。【解決手段】第１背表紙形成部４ａと第２背表紙形成部４ｂとに折目線で区分形成される背表紙部４を連接した表表紙２と、補強背表紙部８を連接した裏表紙３および綴じ具１０とを備え、前記補強背表紙部８が裏表紙３内面に折畳まれた状態で、表表紙２に連なる背表紙部４の第２背表紙形成部４ｂと重なり合って綴じ具の綴じ足１２で連結されてファイルの初期状態が形成され、前記補強背表紙部８は前記背表紙部４の幅寸法に相応する寸法に形成されて、前記補強背表紙部８を開いて前記第２背表紙形成部４ｂと裏表紙３とを綴じ具の綴じ足１２で連結して開いた補強背表紙部８を外にして表表紙２に連接の背表紙部４と固定手段で接合することにより、拡張状態に形成される。【選択図】図１
0003144190.tif 000002
【実用新案登録請求の範囲】
【請求項１】
第１背表紙形成部と第２背表紙形成部とに折目線で区分形成され背表紙部を連接した表表紙と、補強背表紙部を連接した裏表紙および綴じ具とを備え、前記補強背表紙部が裏表紙内面に折畳まれた状態で、表表紙に連なる背表紙部の第２背表紙形成部と重なり合って綴じ具の綴じ足で連結されてファイルの初期状態が形成され、前記補強背表紙部は前記背表紙部の幅寸法に相応する寸法に形成されて、前記補強背表紙部を開いて前記第２背表紙形成部と裏表紙とを綴じ具の綴じ足で連結して開いた補助背表紙部を表表紙に連接の背表紙部と固定手段で接合することにより、拡張状態に形成されることを特徴とするファイル。
【請求項２】
前記表表紙側の第２背表紙形成部に連接する補助部片と裏表紙の補強背表紙部に隣接する個所には、綴じ具の綴じ足挿入孔が拡張時合致するように設けられている請求項１に記載のファイル。
【請求項３】
前記補助背表紙部に設けられる固定手段としては、粘着テープがその補助背表紙部の内面側の縁に沿って設けられ、使用前剥離紙で接着面を覆ってある請求項１に記載のファイル。
【考案の詳細な説明】
【技術分野】
【０００１】  本考案は、ファイルへの書類など綴じ込み量が増加すると背表紙の幅を変更できて、多数枚の帳票類を有効に綴じ込むことができる簡単な構造のファイルに関するものである。
【背景技術】
【０００２】  従来、各種書類を綴じ込んで整理するのに用いられるファイルとしては、既に各種の形状のものが知られている。その最も一般的な形式のものは、一枚の板紙にて両面の表紙とともに背表紙部分と綴じ具を付した綴じ込み部を一連に折曲げて一体構造に形成されている。このようなファイルでは、通常あまり多くの書類などを綴じ込まずに整理される用途に汎用されている。しかし、日常的に多くの書類、例えば伝票など時間の経過とともに多くの帳票などを綴じ込んで整理するのに使用されるようなファイルでは、１冊のファイルの綴じ込む量が多くなるとファイルが大きく膨れて保形し難くなり不都合である。【０００３】  そこで、このような綴じ込み量が増加するのに対応することができるファイルとしては、例えば特許文献１によって知られるように、表表紙と裏表紙とが分離できてその一方の表紙側に背表紙が連接され、その背表紙部分に所要の間隔で多数の縦筋（折目線）を付し、この背表紙部分の端部に係止片を突出形成し、他方の切り離された表紙の背表紙と連結する側にて設けられた複数の切込み孔のいずれかに前記係止片を差し込むことで、背表紙と分離された表紙部とが連結でき、その切込み孔に背表紙端部の係止片を前記切込み孔に選択して係合させることにより背表紙部の幅を変更してファイリング量の増加に対応できる構造にされている。また、このファイルでは両表紙の内側で綴じ具の綴じ紐（綴じ足）を係合させて綴じ込み後保形効果を高めるようにする掛け止め片が設けられている。【０００４】  また、このほかに、表表紙と裏表紙とが分離され、その裏表紙の一側辺に縦筋の折線を多数条付された背表紙が連接形成され、その背表紙の自由端を表表紙のフラップ形成側に設けられた開口縁から内部に差し込んで綴じ込む紙葉類の枚数増加に応じて背表紙幅を変更することができるように構成されたファイルが、例えば特許文献２によって知られている。【０００５】
【特許文献１】  特開２０００−１９０５７４号公報
【特許文献２】  特開２００８−８０５７５号公報
【考案の開示】
【考案が解決しようとする課題】
【０００６】  しかしながら、前記従来技術では、例えば特許文献１によるファイルにあっては、書類等のファイリング量が非常に多い場合には有効であるが、構造的に複雑化して高価となり、しかも綴込み量の増加とともに一方の表紙に切込み孔が表れるので、体裁が好ましくない、などの問題点がある。【０００７】  また、前記特許文献２によるファイルでは、一方の表紙（裏表紙）に連接する背表紙を綴込み量の増加に応じて拡張することができる構成とするために、予め形成されている拡張用の背表紙余長分を収容するポケット構造を必要とし、そのために他方の表紙（表表紙）を二重の袋構造にしなければならず、抜け止めを設けておく必要があり、さらに、綴込み量が増加すると背表紙幅が広くなるのでこの背表紙部の強度を高めておく必要がある。しかしながら、構造的に一枚のシートで形成され、しかも綴込み増加量に合わせ拡張できるとともに体裁よくする関係上多数の折目線を設けている関係で、背表紙部の強度が低下し、長く取扱っているうちに変形しやすくなるなどの問題点がある。【０００８】  本考案は、前述のような問題点を解消するためになされたもので、表紙を組換えることにより綴込み量を加増することができ、しかも組換え後は背表紙部が補強されて保形機能を高めることができる簡単な構成のファイルを提供することを目的とするものである。
【課題を解決するための手段】
【０００９】  前記目的を達成するために、本考案によるファイルは、
第１背表紙形成部と第２背表紙形成部とに折目線で区分形成され背表紙部を連接した表表紙と、補強背表紙部を連接した裏表紙および綴じ具とを備え、前記補強背表紙部が裏表紙内面に折畳まれた状態で、表表紙に連なる背表紙部の第２背表紙形成部と重なり合って綴じ具の綴じ足で連結されてファイルの初期状態が形成され、前記補強背表紙部は前記背表紙部の幅寸法に相応する寸法に形成されて、前記補強背表紙部を開いて前記第２背表紙形成部と裏表紙とを綴じ具の綴じ足で連結して開いた補助背表紙部を表表紙に連接の背表紙部と固定手段で接合することにより、拡張状態に形成されることを特徴とするものである。【００１０】  また、前記考案において、前記表表紙側の第２背表紙形成部に連接する補助部片と裏表紙の補強背表紙部に隣接する個所には、綴じ具の綴じ足挿入孔が拡張時合致するように設けられているのが好ましい。また、前記補強背表紙部に設けられる固定手段としては、粘着テープがその補助背表紙部の内面側の縁に沿って設けられ、使用前剥離紙で接着面を覆ってあるのが好ましい。
【考案の効果】
【００１１】  本考案によれば、別途付属部品を要することなく初期状態での綴込み量から増量する場合、表裏両表紙に連接してある背表紙部の位置をずらせて綴じ具の綴じ足を挿入孔に差し替えるだけで、簡単に背表紙幅を拡大させて綴込みスペースを拡大させることができる。したがって、１冊のファイルにて整理する必要がある紙葉類の収容整理に使用して有効なものであるといえる。そして、この考案のファイルは、構造が簡単であるから安価に提供できるという効果を奏するものである。【００１２】  また、この考案のファイルは、綴込み量を増量できる状態に拡張しても、背表紙部が表表紙側に連接する背表紙部に加えて裏表紙側に連接する補強背表紙部によって外側を覆い、固定手段で接合されるので、多くの紙葉類を綴じ込んでも型くずれすることなく収容整理することができ、長期保存に耐え得るという効果を奏するものである。
【考案を実施するための最良の形態】
【００１３】  次に、本考案によるファイルの具体的な実施の形態について、図面を参照しつつ説明する。【００１４】  図１には本考案に係るファイルの全体斜視図が、図２には表表紙を表す図が、図３には裏表紙を展開して表わす図が、図４には初期状態に形成したファイル要部の断面図が、図５には初期状態での要部を分解して表わす斜視図が、図６には綴じ部を拡張した状態に組み立てられた展開斜視図が、図７には拡張状態でのファイル要部の断面図が、それぞれ示されている。【００１５】  この実施形態のファイル１は、背表紙部４を連接した表表紙２と補強背表紙部８を連接した裏表紙３および収容する紙葉類を綴じ込む綴じ具１０とで構成され、使用初期状態では図１に示されるように形成されている。これら表表紙２と裏表紙３とは別個に形成されている。【００１６】  前記表表紙２は、図２に示されるように、所要外形寸法で板紙にて形成され、その一側辺に内折目線５ａを介して背表紙部４が幅方向（以下、同様）に連接されている。この背表紙部４は、通常の幅寸法、例えば１８ｍｍ幅の第１背表紙形成部４ａと３８ｍｍ幅の第２背表紙形成部４ｂとに区分されて、いずれも内折目線５ｂにて連接されている。そして、その第２背表紙形成部４ｂに内折目線５ｃを介して所要幅の補助部片６が連接されている。【００１７】  また、前記第２背表紙部４ｂには、初期連結用の綴じ足挿入孔７が紙葉類の標準綴じ込みピッチで設けてあり、前記補助部片６には綴じ足の嵌め込み孔７ａとして四個の孔が設けられている。なお、前記綴じ足挿入孔７および綴じ足嵌め込み孔７ａは、いずれも折目線５ｂ，５ｃから１２ｍｍ変位した位置にそのセンター位置を定めて設けられている（ただし、この数値に限定されるものではない）。【００１８】  前記裏表紙３は、図３に示されるように、内折目線５ｄを介して連接される補強背表紙部８までの寸法が前記表表紙２の寸法と合致するようにして板紙にて形成されている。その補強背表紙部８は、幅寸法が前記背表紙部４の幅寸法とほぼ合致するようにして形成されており、折目線５ｄを基準にして１２ｍｍ離れた位置にて裏表紙３側には四個の綴じ足嵌め込み孔７ａが、補強背表紙部８側には二個の綴じ足挿入孔７が、前記表表紙２側に設けられたものと寸法を揃えて設けてある。また、その補強背表紙部８の内側自由端よりの位置には縦長方向に接着面を離形紙で保護した接着テープ１５が貼着してあり、ファイルの拡張時にこの補強背表紙部８を固定するようにされている。なお、この接着テープ１５が本考案における固定手段に対応する。【００１９】  このように構成されるこの実施形態のファイル１は、図１に示されるように、裏表紙３に付属する補強背表紙部８を内折目線５ｄに沿って裏表紙３内面に沿い折畳んだ状態（図３に二点鎖線で表わす）で、表表紙２の第２背表紙部４ｂの外面と重なるようにして綴じ具１０の綴じ足１２で裏表紙３の綴じ足嵌め込み孔７ａ側から綴じ足挿入孔７に通して表表紙２の第２背表紙形成部４ｂ内面にて綴じ具本体１１に嵌め合わせ、紙葉類２０が綴じ込められるようにする。こうすることにより、初期状態のファイル１が構成される。この状態で裏表紙３に連なる補強背表紙部８は、内側に折畳まれて表表紙２���連なる第２背表紙形成部４ｂと補助部片６とによって挟み付けられているので、嵩張ることがなく、また外部に現れないで体裁よく収まり、支障を来すことはない。なお、図中符号１３は綴じ足を固定するスライダーである。【００２０】  この初期状態では、裏表紙３の内側に折畳まれた補強背表紙部８の上に表表紙２に連なる背表紙部４の第２背表紙形成部４ｂが重なって綴じ足１２により連結されているので、背表紙部４は第２背表紙形成部４ｂが固定されて第１背表紙形成部４ａのみが表表紙２とともに折目線５ａ，５ｂに沿って折曲げられ、第１背表紙形成部４ａの幅相当の範囲内で紙葉類２０を綴じ込むことができる（図４参照）。【００２１】  このファイル１にて収容する紙葉類２０の枚数が増加して初期状態での綴込み収容量が多くなった場合、その綴込みを継続するためにファイル１を拡張するには、まず綴じ具１０の綴じ足１２を開放状態にして綴じ具本体１１を外し取除く（図５参照）。すると、第２背表紙形成部４ｂが開放状態になり、その第２背表紙形成部４ｂと裏表紙３側の補強背表紙部８とは重ね合わせているだけであるので、綴じ足１２を綴じ足挿入孔７から抜き出すと、表表紙２が簡単に取り外せる。次いで、折畳まれている補強背表紙部８の綴じ足挿入孔７から綴じ足を抜き出し、その補強背表紙部８を展開する。こうして展開した裏表紙３に対し、先に分解してある表表紙２の背表紙部４を展開されている前記補強背表紙部８の上に重ね合わせる。【００２２】  次に、裏表紙３に対して表表紙２は、重ね合わせた補強背表紙部８上の背表紙部４に連接する補助部片６の綴じ足嵌め込み孔７ａの対応位置（具体的には両端の孔）に裏表紙３側から綴じ足１２を挿入する。その後において、補強背表紙部８の内面端寄りに付されている接着テープ１５を、離形紙を剥がして背表紙部４に接着すると、補強背表紙部８が表表紙２の背表紙部４に接合され、表表紙２と裏表紙３とが一体的に連結され、背表紙部４の幅一杯の綴込み代を備えたファイル１とすることができる（図７参照）。【００２３】  このように構成された本実施形態のファイル１によれば、初期状態では通常の板紙製ファイルと同様にして紙葉類２０を綴じ込むようにし、紙葉類、例えば頻繁に受け入れまたは発行する帳票などを多数整理するために綴じ込むファイルとして使用するのに、収容量が増加しても、前述のようにして背表紙部４の内面で綴じ具１０の差し替えを行うことにより、１冊のファイルで多数の帳票を整理収容することができるのである。そして、その綴込み操作についても綴じ具１０の綴じ足１２を差し替えるだけで簡単に拡張させることができ、しかも綴込み量が多くなっても背表紙部４が本来の背表紙部の外側を補強背表紙部８で覆って強化されるから、長期間の使用に対しても型崩れすることなく保形され、取扱いを容易にするのである。【００２４】  また、図８には表表紙に付された補助部片が異なる形態としたものを用いた拡張状態のファイル要部を表わす斜視図が示されている。この実施形態のファイル１では、表表紙２の背表紙部４に連接した補助部片６が、綴じ具１０の綴じ足１２を挿通させる四個の綴じ足嵌め込み孔７ａのうち中央部に位置する二個を端縁までの切欠き孔７ａ’とする。このように形成しておけば、ファイル１を拡張して紙葉類の綴込み量を増加させるため前記要領で表表紙２と裏表紙３との背表紙部の組換え操作時に、綴じ足１２の中間部１２ａを表側に浮き上がらせ、補助部片６における前記切欠き孔７ａ’，７ａ’間に形成される舌片状の中間部分６ａを前記綴じ足中間部１２ａの下側に差し込むようにして組み立てることにより、背表紙部４が補強背表紙部８上に押さえ付けられ、表裏両表紙２，３を安定状態で連結させることができる。したがって、組立後における綴じ込む紙葉類の綴込み操作を容易にすることができるのである。【００２５】  この実施形態のファイルは、前述の実施形態のものに限定されるものではなく、各種寸法の紙葉類を綴じ込むものとして採用できるものである。また、補強背表紙部の固定手段としては、前記接着テープに代えてホチキスによる固定や必要に応じて面ファスナー（例えば「マジックテープ」（登録商標））、ホックなどを使用することもできる。
【図面の簡単な説明】
【００２６】
【図１】本考案に係るファイルの全体斜視図
【図２】表表紙を表す図
【図３】裏表紙を展開して表わす図
【図４】初期状態に形成したファイル要部の断面図
【図５】初期状態での要部を分解して表わす斜視図
【図６】綴じ部を拡張した状態に組み立てられた展開斜視図
【図７】拡張状態でのファイル要部の断面図
【図８】表表紙に付された補助部片が異なる形態としたものを用いた拡張状態のファイル要部を表わす斜視図
【符号の説明】
【００２７】１      ファイル
２      表表紙
３      裏表紙
４      背表紙部
４ａ    第１背表紙形成部
４ｂ    第２背表紙形成部
５ａ〜５ｄ    折目線
６      補助部片
８      補強背表紙部
１０    綴じ具
１１    綴じ具本体
１２    綴じ足
１５    接着テープ
２０    紙葉類
【図１】
0003144190.tif 000003
【図２】
0003144190.tif 000004
【図３】
0003144190.tif 000005
【図４】
0003144190.tif 000006
【図５】
0003144190.tif 000007
【図６】
0003144190.tif 000008
【図７】
0003144190.tif 000009
【図８】
0003144190.tif 000010